(57)【要約】【課題】調整操作や設置・収納の手間を必要とせずに日射遮断と採光とを両立することができ、季節や時間帯に応じた適度な日射制御を行うができる日よけ構造体を提供する。【解決手段】建物開口部３１に近い位置に配設された第１屋根部１１と、前記第１屋根部１１よりも前記建物開口部３１から離れた位置に配設された第２屋根部１２と、を有し、前記第１屋根部１１を構成する前記横桟部材Ａは略水平方向に配置され、前記第２屋根部１２を構成する前記横桟部材Ｂは室外側が前記建物開口部側よりも高くなるように傾いて配置されている。【選択図】図３
2014125844.tif 000002
【特許請求の範囲】
【請求項１】
建物開口部の外側に屋根部を形成する日よけ構造体であって、
前記屋根部には、同一断面形状の複数の横桟部材が間隔を設けて水平に配置されており、
前記屋根部は、前記建物開口部に近い位置に配設された第１屋根部と、前記第１屋根部よりも前記建物開口部から離れた位置に配設された第２屋根部と、を有し、
前記第１屋根部を構成する前記横桟部材は略水平方向に配置され、
前記第２屋根部を構成する前記横桟部材は室外側が前記建物開口部側よりも高くなるように傾いて配置されていることを特徴とする、日よけ構造体。
【請求項２】
前記第１屋根部を構成する前記横桟部材は、真上から投影したときに隣り合う前記横桟部材の間に隙間が生じないように配置されていることを特徴とする、請求項１記載の日よけ構造体。
【請求項３】
前記屋根部に接続されて略垂直に設けられる複数の柱部材を備えるとともに、前記複数の柱部材の間に前記横桟部材を配置して目隠し部を形成したことを特徴とする、請求項１又は２記載の日よけ構造体。
【請求項４】
前記横桟部材は、断面形状が平行四辺形で形成されていることを特徴とする、請求項１〜３のいずれかに記載の日よけ構造体。
【請求項５】
前記横桟部材は、前記屋根部と前記目隠し部とで表裏が逆となるように取り付けられていることを特徴とする、請求項４記載の日よけ構造体。
【発明の詳細な説明】
【技術分野】
【０００１】
この発明は、建物開口部の外側に配置されて日差しの量を調整する日よけ構造体に関する。
【背景技術】
【０００２】
従来、窓などの建物開口部の外側に配置されて日差しの量を調整する方法としては、可動式のルーバーを設けて角度を調整する方法（例えば特許文献１）や、オーニング装置を使用する方法（例えば特許文献２）などが知られている。
【先行技術文献】
【特許文献】
【０００３】
【特許文献１】特開２００６−２００３０５号公報
【特許文献２】特開平７−３０５４６７号公報
【発明の概要】
【発明が解決しようとする課題】
【０００４】
しかしながら、上記したような可動式のルーバーやオーニング装置を使用する方法の場合、季節や時間毎に変化する日差しの角度に応じて調整操作や設置・収納が必要となり、そのための作業が煩雑となる問題があった。特に屋外に装置が設置されている場合には屋外へ出なければならないので、手間がかかるという問題があった。また、調整機能を実現するための機構が複雑となるため、製造コストやメンテナンスコストが嵩むといった問題もあった。
【０００５】
そこで、本発明は、調整操作や設置・収納の手間を必要とせずに日射遮断と採光とを両立することができ、季節や時間帯に応じた適度な日射制御を行うができる日よけ構造体を提供することを課題とする。
【課題を解決するための手段】
【０００６】
本発明は、上記した課題を解決するためになされたものであり、以下を特徴とする。
【０００７】
（請求項１）
請求項１に記載の日よけ構造体は、建物開口部の外側に屋根部を形成する日よけ構造体であって、前記屋根部には、同一断面形状の複数の横桟部材が間隔を設けて水平に配置されており、前記屋根部は、前記建物開口部に近い位置に配設された第１屋根部と、前記第１屋根部よりも前記開口部から離れた位置に配設された第２屋根部と、を有し、前記第１屋根部を構成する前記横桟部材は略水平に配置され、前記第２屋根部を構成する前記横桟部材は室外側が前記建物開口部側よりも高くなるように傾いて配置されていることを特徴とする。
【０００８】
（請求項２）
請求項２に記載の発明は、上記した請求項１記載の発明の特徴点に加え、以下の点を特徴とする。
【０００９】
すなわち、前記第１屋根部を構成する前記横桟部材は、真上から投影したときに隣り合う前記横桟部材の間に隙間が生じないように配置されていることを特徴とする。
【００１０】
（請求項３）
請求項３に記載の発明は、上記した請求項１又は２記載の発明の特徴点に加え、以下の点を特徴とする。
【００１１】
すなわち、前記屋根部に接続されて略垂直に設けられる複数の柱部材を備えるとともに、前記複数の柱部材の間に前記横桟部材を配置して目隠し部を形成したことを特徴とする。
【００１２】
（請求項４）
請求項４に記載の発明は、上記した請求項１〜３のいずれかに記載の発明の特徴点に加え、以下の点を特徴とする。
【００１３】
すなわち、前記横桟部材は、断面形状が平行四辺形で形成されていることを特徴とする。
【００１４】
（請求項５）
請求項５に記載の発明は、上記した請求項４記載の発明の特徴点に加え、以下の点を特徴とする。
【００１５】
すなわち、前記横桟部材は、前記屋根部と前記目隠し部とで表裏が逆となるように取り付けられていることを特徴とする。
【発明の効果】
【００１６】
請求項１に記載の発明は上記の通りであり、建物開口部に近い位置に配設された第１屋根部と、前記第１屋根部よりも前記建物開口部から離れた位置に配設された第２屋根部と、を有し、前記第１屋根部を構成する前記横桟部材は略水平に配置され、前記第２屋根部を構成する前記横桟部材は室外側が前記建物開口部側よりも高くなるように傾いて配置されている。すなわち、建物開口に近い位置では真上からの日射が大きく遮られるとともに、建物開口から離れた位置では日射が入り込み易くなっている。このため、日が高くなる夏場の日中は第１屋根部によって建物開口部に近い位置に日陰が形成される一方、日差しが低くなる冬場においては第２屋根部から採光できるように形成されている。このため、調整操作や設置・収納の手間を必要とせずに日射遮断と採光とを両立することができ、季節や時間帯に応じた適度な日射制御を行うができる。
【００１７】
しかも、このような構造を、同一断面形状の複数の横桟部材の傾斜角度を変えるだけで実現しているため、複雑な機構が必要なく、また部品の種類も少なくて済むので、製造コストを抑制することができる。
【００１８】
また、請求項２に記載の発明は上記の通りであり、前記第１屋根部を構成する前記横桟部材は、真上から投影したときに隣り合う前記横桟部材の間に隙間が生じないように配置されているため、ほぼ真上から日差しが降り注ぐ夏場において、建物開口部に近い位置に大きな日陰を形成することができる。
【００１９】
また、請求項３に記載の発明は上記の通りであり、前記屋根部に接続されて略垂直に設けられる複数の柱部材を備えるとともに、前記複数の柱部材の間に前記横桟部材を配置して目隠し部を形成したので、日よけに建物開口部の目隠し機能を持たせることができる。しかも、屋根部と同じ横桟部材を使用して目隠し部が形成されているので、意匠的にも統一感を持たせることができ、かつ、製造コストも安価とすることができる。
【００２０】
また、請求項４に記載の発明は上記の通りであり、前記横桟部材は、断面形状が平行四辺形で形成されているため、季節や時間帯に応じた適度な日射制御を行うができる。例えば、平行四辺形の対辺を冬場の日射角度に合わせるようにすれば、冬場は最大限の日射を取り込むことができるとともに、夏場になって日が高くなれば日差しが遮蔽されるようにすることができる。
【００２１】
また、請求項５に記載の発明は上記の通りであり、前記横桟部材は、前記屋根部と前記目隠し部とで表裏が逆となるように取り付けられているので、平行四辺形の形状を生かして屋根部と目隠し部とでほぼ同じ角度で日射を取り込むようにすることができる。
【図面の簡単な説明】
【００２２】
【図１】日よけ構造体の外観斜視図である。
【図２】日よけ構造体の（ａ）正面図、（ｂ）側面図である。
【図３】日よけ構造体のＸ−Ｘ断面図である。
【図４】横桟部材の断面図であって、（ａ）第１屋根部の横桟部材の断面図、（ｂ）第２屋根部の横桟部材の断面図、（ｃ）目隠し部の横桟部材の断面図である。
【図５】東京都における夏至の入射率を示す説明図である。
【図６】東京都における冬至の入射率を示す説明図である。
【発明を実施するための形態】
【００２３】
本発明の実施形態について、図を参照しながら説明する。
【００２４】
本実施形態に係る日よけ構造体１０は、建物開口部３１の外側に屋根部を形成するものであり、図１に示すように、柱部材１５と、傾斜枠部材１４と、横桟部材２０と、備えて構成される。
【００２５】
柱部材１５は、図１及び図２に示すように、建物の壁面３０に対して略平行に、地上面に対して略垂直に立設されている。この柱部材１５は、所定の間隔を設けて複数（本実施形態においては４本）設けられており、隣り合う柱部材１５の間に水平に複数の横桟部材２０を配置することで目隠し部１３を形成している。なお、本実施形態においては、横桟部材２０は柱部材１５の上部にのみ取り付けられており、地表面に近い下部には横桟部材２０を設けないようにしている。これは、目隠しの機能がそれほど必要とされない下部に横桟部材２０を設けないことで、日よけ構造体１０を内側から見たときの閉塞感を緩和するためである。
【００２６】
傾斜枠部材１４は、柱部材１５の上端に接続される柱状の部材であり、上方に行くに従って建物の壁面３０に近づくように傾斜して設けられている。なお、傾斜枠部材１４の上端は建物の壁面３０に固定されている。この傾斜枠部材１４は、柱部材１５と同様に所定の間隔を設けて複数（本実施形態においては４本）設けられており、隣り合う傾斜枠部材１４の間に水平に複数の横桟部材２０を配置することで屋根部を形成している。
【００２７】
横桟部材２０は、中空のルーバー材であり、図３に示すように、同一断面形状の複数の部材が一定の間隔を設けて柱部材１５及び傾斜枠部材１４に固定されている。この横桟部材２０は、断面形状が平行四辺形で形成されており、詳しくは、断面形状において長い方の対辺を形成する第１長辺面２１及び第２長辺面２２と、断面形状において短い方の対辺を形成する第１短辺面２３及び第２短辺面２４と、が平行四辺形を形成している。
【００２８】
この横桟部材２０は、内部に設けられたビスホール２５を使用して柱部材１５及び傾斜枠部材１４に固定されるようになっており、このビスホール２５が柱部材１５及び傾斜枠部材１４に予め穿設されたビス孔に位置合わせされることで、柱部材１５及び傾斜枠部材１４に対する取り付け位置が決まるように形成されている。このビスホール２５は、第１長辺面２１及び第２長辺面２２の裏側に形成されており、第１長辺面２１においては第２短辺面２４寄りに設けられ、第２長辺面２２においては第１短辺面２３寄りに設けられている。
【００２９】
ところで、上記した屋根部は、図１〜３に示すように、建物開口部３１に近い位置に配設された第１屋根部１１と、この第１屋根部１１よりも前記建物開口部３１から離れた位置に配設された第２屋根部１２と、を有している。第１屋根部１１と第２屋根部１２とを比較すると、横桟部材２０の設置ピッチは同じであるが、横桟部材２０の設置角度が異なっている。このように横桟部材２０の設置角度を変えることにより、日射の取り込み量を調整するように形成されている。
【００３０】
すなわち、図４（ａ）に示すように、第１屋根部１１の横桟部材Ａは、略水平に配置されており、詳しくは、第１長辺面２１及び第２長辺面２２が地表面に対して水平となるように傾斜枠部材１４に固定されている。このため、第１屋根部１１の横桟部材Ａは、真上から投影したときの横桟部材２０の１つあたりの投影面積が大きい角度で取り付けられている。また、第１屋根部１１の横桟部材Ａは、図３等に示すように、真上から投影したときに重なり合うように配置されており、隣り合う横桟部材Ａの間に隙間が生じないように配置されている。このように投影面積が大きく、かつ、重なり合うように横桟部材Ａが取り付けられることで、上方向からの日射を遮ることができるようになっており、図５に示すように、日が高くなる夏場において日差しを有効に遮蔽し、特に建物開口部３１付近において大きな日陰を形成できるようになっている。
【００３１】
なお、第１屋根部１１の横桟部材Ａは、第１短辺面２３及び第２短辺面２４が下に行くに従って屋外側に傾斜するようになっており、言い換えると、第１短辺面２３が日射を受け止める方向に傾斜している。これは、日が高くなる夏場においても日差しはやや斜めに差し込むため、この斜めの日射しを第１短辺面２３で受け止めるようにするためである。このように斜めの日射しを第１短辺面２３で受け止めることで、更に有効に日差しを遮蔽できるようになっている。
【００３２】
また、図４（ｂ）に示すように、第２屋根部１２の横桟部材Ｂは、第１長辺面２１及び第２長辺面２２が地表面に対して傾斜するように、傾斜枠部材１４に固定されている。このとき、横桟部材Ｂは、室外側が建物開口部３１側よりも高くなるように傾いており、詳しくは、第１長辺面２１及び第２長辺面２２は、下に行くに従って屋内側に傾斜している。このように、第２屋根部１２の横桟部材Ｂは、第１屋根部１１の横桟部材Ａと比較して、第１長辺面２１及び第２長辺面２２が日射方向に対してできるだけ平行となるように傾いて配置されている。このときの傾斜角度は、本実施形態においては、東京の冬至南中時刻の日射しの入射角度を参考に、２５．３５°となっている。このように横桟部材２０が傾斜して設けられることで、真上から投影したときの横桟部材２０の１つあたりの投影面積が小さくなるとともに、日射しを遮らないようになっている。このため、横桟部材２０の間から日差しを取り込むことができるようになっており、図６に示すように、日が低くなる冬場において日差しを有効に取り込み、建物内部にまで日差しを取り込めるように形成されている。
【００３３】
なお、図４（ｃ）に示すように、目隠し部１３の横桟部材Ｃも、第２屋根部１２の横桟部材Ｂと同様に、第１長辺面２１及び第２長辺面２２が地表面に対して傾斜するように傾斜枠部材１４に固定されている。本実施形態においては、意匠的な統一感を保つために傾斜角度を第２屋根部１２の横桟部材Ｂと略同じ（詳しくは第２屋根部１２の横桟部材Ｂよりも小さい傾斜角度）に設定してあり、具体的には１９．６５°に設定している。横桟部材２０が傾斜して設けられることで、日よけ構造体１０の外側からの視線を遮断するとともに、内側から見たときの閉塞感を緩和できるようになっている。なお、図６に示すように、この目隠し部１３の横桟部材Ｃの間からも日差しを取り込むことができる。
【００３４】
ところで、目隠し部１３の横桟部材Ｃは、屋根部とは表裏が逆となるように柱部材１５に固定されている。すなわち、屋根部においては第１長辺面２１が上面にくるように固定されていたが、目隠し部１３においては第２長辺面２２が上面にくるように固定されている。このように表裏を変えて取り付けることで、図３に示すように、柱部材１５と横桟部材２０との延設方向の違いにかかわらず、同一形状の横桟部材２０を使用することができる。すなわち、本実施形態においては、柱部材１５と横桟部材２０とが連続して略同じ幅で形成されているため、屋根部と同じ表裏で目隠し部１３に横桟部材２０を取り付けると、横桟部材２０を極端に傾けない限りは横桟部材２０の角が柱部材１５の前後に突出してしまう。この点、本実施形態によれば、屋根部と表裏を逆にして目隠し部１３に横桟部材２０を取り付けることで、第２屋根部１２の傾斜角度と略同じ傾斜角度で傾斜させた横桟部材２０を柱部材１５の幅に収めることができる。よって、幅の異なる横桟部材２０を別に用意しなくてもよいので、製造コストを抑制することができる。
【００３５】
本実施形態においては、第１屋根部１１、第２屋根部１２、目隠し部１３の高さは、それぞれの機能に応じて適切な高さで設けられている。
【００３６】
例えば、第１屋根部１１を構成する横桟部材Ａのうち最下部の横桟部材Ａの下端は建物開口部３１の上端と略同じ高さに設けられており、言い換えると、第１屋根部１１と第２屋根部１２との境目は建物開口部３１の上端と略同じ高さに設けられている。このため、第２屋根部１２が建物開口部３１の前方に配置されており、第２屋根部１２を通過した日差しが建物開口部３１から室内へと有効に取り込まれるように形成されている。
【００３７】
また、第２屋根部１２と目隠し部１３との境目は、建物開口部３１の高さ方向の中間位置よりも高い位置となっており、言い換えると、第２屋根部１２の下端の高さが、建物開口部３１の高さ方向の中間位置よりも高い位置となっている。このため、第２屋根部１２の下端に連続するように目隠し部１３を設けると、建物の中で人間が座ったときの目線の高さと、建物の中で人間が立ったときの目線の高さとをカバーするような高さ（建物の中にいるときに外部の人間と目が合わないような高さ）に目隠し部１３を設けることができ、目隠し効果を有効に発揮することができる。また、目隠し部１３をあえて設けないようにすれば、視線を遮る遮蔽物がないため、圧迫感を与えない構造とすることもできる。
【００３８】
なお、本実施形態においては、図２等に示すように横桟部材２０を目隠し部１３の一番下まで取り付けずに下部を開放させているが、これに限らず、目隠し部１３の最下部まで横桟部材２０を取り付けるようにしてもよい。
【００３９】
以上説明したように、本実施形態によれば、建物開口部３１に近い位置に配設された第１屋根部１１と、前記第１屋根部１１よりも前記建物開口部３１から離れた位置に配設された第２屋根部１２と、を有し、前記第１屋根部１１を構成する前記横桟部材Ａは略水平方向に配置され、前記第２屋根部１２を構成する前記横桟部材Ｂは室外側が前記建物開口部３１側よりも高くなるように傾いて配置されている。すなわち、建物開口部３１に近い位置では真上からの日射が大きく遮られるとともに、建物開口部３１から離れた位置では日射が入り込み易くなっている。このため、日が高くなる夏場の日中は第１屋根部１１によって建物開口部３１に近い位置に日陰が形成される一方、日差しが低くなる冬場においては第２屋根部１２から採光できるように形成されている。このため、調整操作や設置・収納の手間を必要とせずに日射遮断と採光とを両立することができ、季節や時間帯に応じた適度な日射制御を行うができる。
【００４０】
しかも、このような構造を、同一断面形状の複数の横桟部材２０の角度を変えるだけで実現しているため、複雑な機構が必要なく、また部品の種類も少なくて済むので、製造コストを抑制することができる。
【００４１】
また、前記第１屋根部１１を構成する前記横桟部材Ａは、真上から投影したときに重なり合うように配置されているため、ほぼ真上から日差しが降り注ぐ夏場において、建物開口部３１に近い位置に大きな日陰を形成することができる。
【００４２】
また、前記屋根部に接続されて略垂直に設けられる複数の柱部材１５を備えるとともに、前記複数の柱部材１５の間に前記横桟部材２０を配置して目隠し部１３を形成したので、日よけに建物開口部３１の目隠し機能を持たせることができる。しかも、屋根部と同じ横桟部材２０を使用して目隠し部１３が形成されているので、意匠的にも統一感を持たせることができ、かつ、製造コストも安価とすることができる。
【００４３】
また、前記横桟部材２０は、断面形状が平行四辺形で形成されているため、季節や時間帯に応じた適度な日射制御を行うができる。例えば、平行四辺形の対辺を冬場の日射角度に合わせるようにすることで、冬場は最大限の日射を取り込むことができるとともに、夏場になって日が高くなれば日差しが遮蔽されるようにすることができる。
【００４４】
また、前記横桟部材２０は、前記屋根部１１，１２と前記目隠し部１３とで表裏が逆となるように取り付けられているので、平行四辺形の形状を生かして屋根部１１，１２と目隠し部１３とでほぼ同じ角度で日射を取り込むようにすることができる。
【００４５】
なお、上記した実施形態においては横桟部材２０の断面形状を平行四辺形としたが、これに限らず、他の形状の横桟部材２０を使用してもよい。
【００４６】
また、上記した実施形態における横桟部材２０の取り付け角度は一例に過ぎず、本発明の趣旨を逸脱しない範囲において角度を変更してもよい。
【００４７】
また、屋根部を第１屋根部１１と第２屋根部１２との２段階の構成としたが、これに限らず、例えば屋根部を３段階以上に分割して横桟部材２０の取り付け角度を変更してもよい。
【符号の説明】
【００４８】
１０  日よけ構造体
１１  第１屋根部
１２  第２屋根部
１３  目隠し部
１４  傾斜枠部材
１５  柱部材
２０  横桟部材
２１  第１長辺面
２２  第２長辺面
２３  第１短辺面
２４  第２短辺面
２５  ビスホール
３０  壁面
３１  建物開口部
Ａ  第１屋根部の横桟部材
Ｂ  第２屋根部の横桟部材
Ｃ  目隠し部の横桟部材
【図１】
2014125844.tif 000003
【図２】
2014125844.tif 000004
【図３】
2014125844.tif 000005
【図４】
2014125844.tif 000006
【図５】
2014125844.tif 000007
【図６】
2014125844.tif 000008